(57)【要約】【課題】  音声モードの切り替えに依存しないで、かつ使用者がコマーシャル放送か否かを判断することなくコマーシャル放送を検出することが可能なテレビ放送コマーシャル検出回路を提供する。【解決手段】  テレビ放送コマーシャル検出回路は、動画圧縮画像として受信するテレビ放送のコマーシャルを検出する。テレビ放送コマーシャル検出回路は、動画圧縮画像のフレーム間の相関によりシーンチェンジを検出する検出手段（シーンチェンジ検出回路１）と、検出手段にて検出したシーンチェンジを基にコマーシャルか否かを判断する判断手段（時刻検出回路２、切り出し回路３、比較回路４）とを有する。【選択図】      図１
2013172355.tif 000002
【特許請求の範囲】
【請求項１】
動画圧縮画像として受信するテレビ放送のコマーシャルを検出するテレビ放送コマーシャル検出回路であって、
前記動画圧縮画像のフレーム間の相関によりシーンチェンジを検出する検出手段と、前記検出手段にて検出したシーンチェンジを基に前記コマーシャルか否かを判断する判断手段とを有することを特徴とするテレビ放送コマーシャル検出回路。
【請求項２】
前記判断手段は、前記コマーシャルの持つシーンチェンジの多さ、放送時間の短さ、放送時間の一定性を利用して前記コマーシャルか否かを判断することを特徴とする請求項１記載のテレビ放送コマーシャル検出回路。
【請求項３】
前記コマーシャルを構成する複数の単位コマーシャルの最初及び最後の静止画にてデータベースを構築し、そのデータベースを基に前記テレビ放送のコマーシャル部分を検出することを特徴とする請求項１または請求項２記載のテレビ放送コマーシャル検出回路。
【請求項４】
上記の請求項１から請求項３のいずれかに記載のテレビ放送コマーシャル検出回路を含み、前記テレビ放送コマーシャル検出回路にて検出したコマーシャルを除去して前記テレビ放送の再生を行うことを特徴とする録画再生機。
【請求項５】
動画圧縮画像として受信するテレビ放送のコマーシャルを検出するテレビ放送コマーシャル検出回路に用いるテレビ放送コマーシャル検出方法であって、
前記テレビ放送コマーシャル検出回路が、前記動画圧縮画像のフレーム間の相関によりシーンチェンジを検出する検出処理と、前記検出処理にて検出したシーンチェンジを基に前記コマーシャルか否かを判断する判断処理とを実行することを特徴とするテレビ放送コマーシャル検出方法。
【請求項６】
前記判断処理において、前記コマーシャルの持つシーンチェンジの多さ、放送時間の短さ、放送時間の一定性を利用して前記コマーシャルか否かを判断することを特徴とする請求項５記載のテレビ放送コマーシャル検出方法。
【請求項７】
前記コマーシャルを構成する複数の単位コマーシャルの最初及び最後の静止画にてデータベースを構築し、そのデータベースを基に前記テレビ放送のコマーシャル部分を検出することを特徴とする請求項５または請求項６記載のテレビ放送コマーシャル検出方法。
【発明の詳細な説明】
【技術分野】
【０００１】
本発明はテレビ放送コマーシャル検出回路、録画再生機及びそれらに用いるテレビ放送コマーシャル検出方法に関し、特にテレビ放送において本放送の間に流れるコマーシャル放送の検出方法に関する。
【背景技術】
【０００２】
本発明に関連するコマーシャル（以下、ＣＭとする）放送の検出方法としては、ＣＭ除去機能が付いた録画再生機に用いられる方法がある。この方法では、ＣＭ放送の検出に、本放送とＣＭ放送の音声モードとの切り替えを検出することで、ＣＭ放送を検出している（例えば、特許文献１参照）。
【０００３】
従来、ＣＭ放送では、音声モードが一般的にステレオ放送に対して、本放送のドラマ等では、２ヶ国語放送や独立２ｃｈ放送になることが多いため、音声モードの切り替えで、ＣＭ放送の開始や終了時刻を管理し、再生時のＣＭ除去を実施している場合が多い。
【０００４】
上記のＣＭ放送の検出方法のほかの方法としては、使用者がリモコンにてＣＭ放送の開始及び終了を指示し、指示されたＣＭ放送の映像音声信号を蓄積しておき、この蓄積された映像音声信号と比較することでＣＭ放送を検出する方法もある（例えば、特許文献２参照）。
【先行技術文献】
【特許文献】
【０００５】
【特許文献１】特開２００９−１３０５０２号公報
【特許文献２】特開２００３−１４３５４４号公報
【発明の概要】
【発明が解決しようとする課題】
【０００６】
しかしながら、上述したＣＭ除去の録画再生機における方法では、上記の特許文献１に記載の方法の場合、音声モードが本放送と同じ番組では、音声モードの切り替えがおきず、ＣＭ放送を検出することができないという問題がある。
【０００７】
また、上記の特許文献２に記載の方法の場合には、この問題を解決することができるが、使用者がＣＭ放送の開始と終了とを指示しなければならない、つまりＣＭ放送か否かを判断しなければならないという問題がある。
【０００８】
そこで、本発明の目的は上記の問題点を解消し、音声モードの切り替えに依存しないで、かつ使用者がコマーシャル放送か否かを判断することなく、コマーシャル放送を検出することができるテレビ放送コマーシャル検出回路、録画再生機及びそれらに用いるテレビ放送コマーシャル検出方法を提供することにある。
【課題を解決するための手段】
【０００９】
本発明によるテレビ放送コマーシャル検出回路は、動画圧縮画像として受信するテレビ放送のコマーシャルを検出するテレビ放送コマーシャル検出回路であって、
前記動画圧縮画像のフレーム間の相関によりシーンチェンジを検出する検出手段と、前記検出手段にて検出したシーンチェンジを基に前記コマーシャルか否かを判断する判断手段とを備えている。
【００１０】
本発明による録画再生機は、上記のテレビ放送コマーシャル検出回路を含み、前記テレビ放送コマーシャル検出回路にて検出したコマーシャルを除去して前記テレビ放送の再生を行うことを特徴とする。
【００１１】
本発明によるテレビ放送コマーシャル検出方法は、動画圧縮画像として受信するテレビ放送のコマーシャルを検出するテレビ放送コマーシャル検出回路に用いるテレビ放送コマーシャル検出方法であって、
前記テレビ放送コマーシャル検出回路が、前記動画圧縮画像のフレーム間の相関によりシーンチェンジを検出する検出処理と、前記検出処理にて検出したシーンチェンジを基に前記コマーシャルか否かを判断する判断処理とを実行している。
【発明の効果】
【００１２】
本発明は、上記のような構成及び動作とすることで、音声モードの切り替えに依存しないで、かつ使用者がコマーシャル放送か否かを判断することなく、コマーシャル放送を検出することができるという効果が得られる。
【図面の簡単な説明】
【００１３】
【図１】本発明の実施の形態によるＣＭ検出回路の構成例を示すブロック図である。
【図２】本発明の実施の形態によるＣＭ検出回路の動作例を示す図である。
【図３】本発明の実施の形態によるＣＭ検出回路の動作例を示す図である。
【図４】本発明の実施の形態によるＣＭ除去型録画再生機の構成例を示すブロック図である。
【発明を実施するための形態】
【００１４】
次に、本発明の実施の形態について図面を参照して説明する。まず、本発明によるテレビ（ＴＶ）放送コマーシャル（以下、ＣＭとする）検出回路の概要について説明する。
【００１５】
本発明は、テレビ番組を録画・再生する装置のテレビ放送のＣＭ検出機能であり、ＣＭを除去して再生を行う機能において、単位ＣＭの最初及び最後の静止画にてデータベースを構築し、テレビ放送のＣＭ部分をより正確に検出することを特徴としている。
【００１６】
本発明においては、（１）シーンチェンジは、フレーム間の相関が著しく低くなるため、動画圧縮画像から容易に判断可能であること、（２）ＣＭは、短い時間でシーンチェンジが多発すること、（３）一つのＣＭの長さは、ほとんどが３０秒の整数倍になっていて、シーンチェンジがＣＭ毎に現れること、を利用してＣＭの位置を特定し、単位ＣＭ毎の最初及び最後の静止画をデータベース化することで、正確なＣＭ部分の検出を行っている。
【００１７】
このように、本発明では、単位ＣＭ毎の最初及び最後の静止画を単位ＣＭのデータベースで管理しているので、ＣＭの開始及び終了の時刻を正確に把握することができ、再生時のＣＭ除去を正しく実行することができる。
【００１８】
つまり、本発明では、動画圧縮画像のフレーム間の相関によりシーンチェンジを検出しているので、シーンチェンジを正確に判断することができる。また、本発明では、ＣＭの持つシーンチェンジの多さや時間の短さ、時間の一定性を利用しているので、ＣＭを正確に判断することができる。さらに、本発明では、単位ＣＭをデータベース化してＣＭを判断しているので、記録を続けるほどＣＭを正確に判断することができる。
【００１９】
図１は本発明の実施の形態によるＣＭ検出回路の構成例を示すブロック図である。図１において、本発明の実施の形態によるＣＭ検出回路は、シーンチェンジ検出回路１と、時刻検出回路２と、切り出し回路３と、比較回路４と、登録回路５と、記録回路６と、データベース制御回路７とから構成されている。
【００２０】
シーンチェンジ検出回路１は、動画圧縮画像のフレーム間の相関によりシーンチェンジを検出し、時刻検出回路２は、検出されたシーンチェンジより放送番組のＣＭ放送部分の時刻を検出している。
【００２１】
切り出し回路３は、ＣＭが決まった時間長さであることから、候補単位ＣＭの切り出しを行う。比較回路４は、既に単位ＣＭと確定している単位ＣＭデータベースの内容と候補単位ＣＭとの比較を行う。
【００２２】
登録回路５は、一致ＣＭがある場合、既存ＣＭ間の候補単位ＣＭを新規の単位ＣＭとしてデータベースを更新する。記録回路６は、ＣＭと確定した放送時刻を記録し、再生の際に利用する。
【００２３】
データベース制御回路７は、次のＣＭ放送を探索する前に、一定期間、データベース（図示せず）にアクセスのない単位ＣＭを終了ＣＭとして単位ＣＭデータベースから除去する。以上の処理で全ての探索が終わると、再び次のＣＭ探索を始めるため、最初のシーンチェンジ検出回路１の処理に戻る。
【００２４】
図２及び図３は本発明の実施の形態によるＣＭ検出回路の動作例を示す図である。これら図２及び図３に示す動作は、図１に示す各回路の動作を示しているが、各回路を示す符号を（）で囲んでその動作としている。
【００２５】
まず、録画する際に、シーンチェンジ検出回路１では、現在のディジタル放送では、動画圧縮された情報で放送されているため、フレーム間の相関情報も利用して圧縮している。したがって、圧縮信号の分析でシーンチェンジが発生していることは容易に検出することができる。
【００２６】
一般的に、ＣＭ部分は、複数の単位ＣＭで構成され、ＣＭ時間自体もほとんどが３０秒の数倍の形になっている。そこで、シーンチェンジ検出回路１の出力から発生分布特性により、ＣＭの候補部分を取り出すことが可能である。
【００２７】
このＣＭの候補部分をＣＭ候補放送時刻記録情報としてＣＭ候補放送時刻記録情報記録部１１に記録する。同時に、このＣＭの候補部分は、ＣＭ放送時刻記録情報としてもＣＭ放送時刻記録情報記録部１２に登録する。
【００２８】
切り出し回路３は、ＣＭの候補部分を３０秒及びその数倍の候補単位ＣＭに切り出して、その候補単位ＣＭの最初及び最後のシーンを静止画として、時刻・長さ等の基本情報とともに新規ＣＭ候補データベース１４に記録する。
【００２９】
次に、比較回路４は、新規候補単位ＣＭを単位ＣＭデータベース１３の内容と比較し、一致するＣＭが存在するかを探索する。比較回路４は、一致するＣＭが存在する場合、単位ＣＭデータベース１３のアクセス時刻を更新する。比較回路４は、この処理を、新規候補ＣＭデータベース１４の全ての単位ＣＭに実施し、既存ＣＭが有るか否かを比較する。
【００３０】
登録回路５は、既存ＣＭがあった場合、既存ＣＭが１つだけであれば、新規候補ＣＭデータベース１４から当該情報を除去する。登録回路５は、既存ＣＭが２つ以上見つかった場合、その間の新規候補ＣＭの中で既存の単位ＣＭデータベース１３になかった単位ＣＭを新規候補ＣＭデータベース１４から単位ＣＭデータベース１３へ移動するとともに、既存ＣＭと一致した単位ＣＭを新規候補ＣＭデータベース１４から除去する。
【００３１】
記録回路６は、除去した確定ＣＭ時刻分から先のＣＭ候補放送時刻記録情報記録部１１の内容から確定部分を取り除く。記録時刻としては、１つの開始及び終了時刻から２つの開始及び終了時刻に分けられる場合が多い。
【００３２】
比較回路４は、既存ＣＭが無かった場合、あるいは上記の記録回路６の処理が終了すると、続けて、図３に示すように、再び残った新規候補単位ＣＭを既存候補ＣＭデータベース１５の内容（過去のＣＭ候補ではＣＭと判断できない単位候補ＣＭ）と比較し、一致するＣＭが存在するかを探索する。
【００３３】
登録回路５は、一致するＣＭが存在する場合、新規候補ＣＭを、新規ＣＭデータベース１４から単位ＣＭデータベース１３に移動すると同時に、既存候補ＣＭデータベース１５から当該情報を削除する。比較回路４及び登録回路５は、この処理を新規候補データベース１４に記録された内容全体に対して実施する。
【００３４】
移動したＣＭ部分の放送時刻が確定するので、記録回路６は、上記の処理と同様に、ＣＭ候補放送時刻記録情報記録部１１の内容から該当時間を取り除く。
【００３５】
また、データベース制御回路７は、新規候補ＣＭデータベース１４に残った単位候補ＣＭを既存候補ＣＭデータベース１５に移動させるので、新規候補ＣＭデータベース１４は空っぽになる。
【００３６】
最後に、単位ＣＭデータベース１３のアクセス時刻を確認して、一定時刻以上アクセスがない場合、データベース制御回路７は、図２に示すように、終了ＣＭとして、そのＣＭを単位ＣＭデータベース１３から削除する。
【００３７】
これらの処理によって、この部分のＣＭ放送は、全て分析が完了したので、次のＣＭ放送部分の探索に戻る。
【００３８】
図４は本発明の実施の形態によるＣＭ除去型録画再生機の構成例を示すブロック図である。図４を参照して本発明の実施の形態によるＣＭ除去型録画再生機の動作について説明する。ここで、ＣＭ検出機能１０は上記の本実施の形態によるＣＭ検出回路と同様の構成及び動作となっている。
【００３９】
テレビ放送信号は、テレビ番組録画機能２０によりＨＤＤ（Ｈａｒｄ  Ｄｉｓｋ  Ｄｒｉｖｅ）等の番組録画情報記録部２２に番組を録画するとともに、上述したＣＭ検出機能１０でＣＭ候補放送時刻記録情報とＣＭ放送時刻記録情報とを作成する。作成した情報は、それぞれＣＭ候補放送時刻記録情報記録部１１及びＣＭ放送時刻記録情報記録部１２に記録される。
【００４０】
ＣＭ除去モードでテレビ番組を見る場合は、削除機能３０にてＣＭ放送時刻記録情報からＣＭ候補時刻分を除去してＣＭ時間を確定し、テレビ番組ＣＭ除去再生機能４０にて番組録画情報からＣＭを除去して再生し、ディスプレイ５０にて視聴することができる。
【００４１】
このように、本実施の形態では、動画圧縮画像のフレーム間の相関によりシーンチェンジを検出しているので、音声モードの切り替えに依存しないで、かつ使用者がコマーシャル放送か否かを判断することなく、ＣＭを正確に判断することができる。
【００４２】
また、本実施の形態では、ＣＭの持つシーンチェンジの多さや時間の短さ、時間の一定性を利用しているので、ＣＭの判断も正確に行うことができる。さらに、本実施の形態では、単位ＣＭをデータベース化して判断しているので、記録を続けるほど正確なＣＭ判断を行うことができる。
【符号の説明】
【００４３】
１  シーンチェンジ検出回路
２  時刻検出回路
３  切り出し回路
４  比較回路
５  登録回路
６  記録回路
７  データベース制御回路
１０  ＣＭ検出機能
１１  ＣＭ候補放送時刻記録情報記録部
１２  ＣＭ放送時刻記録情報記録部
１３  単位ＣＭデータベース
１４  新規ＣＭ候補データベース
１５  既存候補ＣＭデータベース
２０  テレビ番組録画機能
２２  番組録画情報記録部
３０  削除機能
４０  テレビ番組ＣＭ除去再生機能
５０  ディスプレイ
【図１】
2013172355.tif 000003
【図２】
2013172355.tif 000004
【図３】
2013172355.tif 000005
【図４】
2013172355.tif 000006